(57)【特許請求の範囲】
【請求項１】
外郭をなすケースと、
該ケース内において駆動部により回転駆動される回転ブラシと、を備え、
前記ケースには、前記回転ブラシを前記ケース内に取付け又は取外しするための開口部と、前記開口部の内部に前記回転ブラシを取付け位置に係止する係止部が設けられ、
前記回転ブラシは、取付けのときは一端側から前記開口部を通して取付け位置まで挿入され、取り外しのときは取付け位置より前記開口部から引き抜かれるようになっていて、
前記回転ブラシには、前記ケース内に取付け又は取外しするときに把持するための一部分が前記ケース外に露出し他の部分が前記ケース内に収容される把持部と、該把持部を前記回転ブラシの取外し方向に付勢する付勢手段が設けられ、
前記把持部には、前記ケースに対し前記回転ブラシを取付け位置に係止又は取外し位置に係止解除するための前記ケース外に露出するレバーと、前記係止部と係合して前記回転ブラシを取付け位置に係止するための前記ケース内に収容される係止凸片が設けられ、
前記把持部は、前記回転ブラシが取付け位置に係止されているときは前記ケースの表面と略同一面となり、取外し位置に係止解除されているときは前記付勢手段により、前記ケースの表面から前記回転ブラシの取り出し方向に突出し、
前記付勢手段は、前記把持部の内部に収納されていることを特徴とする床面吸込具。
【請求項２】
前記ケースの前記開口部は一部に段差を有しており、
該段差の低部には前記回転ブラシの取外し方向と同じ方向に突出した凸形状が設けられ、該凸形状は前記レバーの取付け位置と取外し位置の間に配置されており、
前記把持部を付勢手段の付勢力に抗して押し込み、前記レバーを取外し位置から取付け位置へ移動させると、
前記係止部に設けられたガイド溝に前記係止凸片が挿嵌され、
前記係止凸片が挿嵌された状態では、前記凸形状が前記レバーの最も前記ケース寄りの位置よりも突出していて、
前記レバーは前記凸形状に接触しながら乗り上げ、乗り越えて取付け位置まで移動するようにしたことを特徴とする請求項１に記載の床面吸込具。
【請求項３】
外郭をなすケースと、
該ケース内において駆動部により回転駆動される回転ブラシと、
該回転ブラシの一端部を前記ケースの長手方向で一方側面の内部に回転自在に支持すべく設けられた第１の支持部と、
前記回転ブラシの他端部を前記ケースの長手方向で他方側面の内部に回転自在に支持すべく設けられた第２の支持部と、を備え、
前記ケースには、前記回転ブラシを前記他方側面の外部から前記ケース内に挿入することを許容する開口部と、所定位置に挿入された後に所定の係止位置まで回動された当該回転ブラシを係止する係止部が設けられ、
前記回転ブラシには、前記所定の位置に挿入された状態で、前記開口部から外部に突出する把持部と、該把持部を前記回転ブラシの取外し方向に付勢する付勢手段が設けられ、
前記把持部には、前記ケースに対し前記回転ブラシを前記所定の係止位置まで回動させ、またその回動方向と逆の方向に回動させて係止状態を解除するためのレバーが設けられ、
前記把持部は、前記回転ブラシが前記係止位置に係止されているときは前記ケースの表面と略同一面となり、取外し位置にあるときは前記付勢手段により、前記ケースの表面から前記回転ブラシの取り出し方向に突出し、
前記付勢手段は、前記把持部の内部に収納されていることを特徴とする床面吸込具。
【請求項４】
外郭をなすケースと、
該ケース内において駆動部により回転駆動される回転ブラシと、を備え、
前記ケースには、前記回転ブラシを前記ケース内に取付け又は取外しするための開口部と、前記回転ブラシを取付け位置に係止する係止凸部が設けられ、
前記回転ブラシは、取付けのときは一端側から前記開口部を通して取付け位置まで挿入され、取り外しのときは取付け位置より前記開口部から引き抜かれるようになっていて、
前記回転ブラシには、前記ケース内に取付け又は取外しするときに用いられる前記ケース外に設けられた取っ手と、該取っ手を回動自在に保持する取っ手保持部が設けられ、
前記取っ手と前記取っ手保持部は、前記回転ブラシが取付け位置に係止されているときは前記ケースの表面と略同一面となり、
前記回転ブラシには、前記取っ手保持部を前記回転ブラシの取外し方向に付勢する付勢手段が設けられ、
前記取っ手と前記取っ手保持部は、前記回転ブラシが取外し位置に係止解除されているときは前記付勢手段により、前記ケースの表面から前記回転ブラシの取り出し方向に突出し、
前記付勢手段は、前記取っ手保持部の内部に収納されていることを特徴とする床面吸込具。
【請求項５】
前記ケース内に保持され、前記回転ブラシに付着した塵埃を除去する塵埃除去具を備え、
前記回転ブラシには長手方向に延びる複数の溝が形成され、隣り合う前記溝の間にはブ
ラシが設けられており、
前記塵埃除去具は、中空の管形状をしていて、内径が前記ブラシの外形よりも小さく、内面側に突出し、前記ケース内側へ向かって伸びる爪部が設けられていて、
前記回転ブラシが前記ケースに取付けられた状態において、前記溝に前記爪部が嵌り込
み、該回転ブラシが前記塵埃除去具の中空部を貫通していることを特徴とする請求項１乃至請求項４何れかに記載の床面吸込具。
【請求項６】
請求項１乃至請求項５の何れか１項に記載の床面吸込具を備えたことを特徴とする電気掃除機。
【発明の詳細な説明】
【技術分野】
【０００１】
本発明は電気掃除機の床面吸込具、詳しくは回転ブラシを備えた床面吸込具に関するもので、さらにはこの床面吸込具を備えた電気掃除機に関するものである。
【背景技術】
【０００２】
従来、回転ブラシを備えた床面吸込具として、回転ブラシに絡み付いた毛髪や糸屑等の塵埃を取り除くために回転ブラシを取外し可能にしたものが知られており、ケースに設けられた蓋体を開けてケース内から回転ブラシを取り外す構成のもの（例えば、特許文献１参照）や、ケースに設けられた開口を閉塞している蓋体を外し、その開口からケース内の回転ブラシを引出すように取り外す構成のもの（例えば、特許文献２参照）が知られている。
【先行技術文献】
【特許文献】
【０００３】
【特許文献１】特開平６−８６７４２号公報（第４頁、図３）
【特許文献２】特開昭６３−１９７４２６号公報（第３頁、図１）
【発明の概要】
【発明が解決しようとする課題】
【０００４】
しかしながら特許文献１に記載の従来の床面吸込具においては、回転ブラシを取り出すときに回転ブラシの塵埃が絡み付いているブラシ部分を手で持たなければならず、塵埃を取り除く前のブラシに触らなければならないという衛生上大きな課題があった。
また、特許文献２に記載の従来の床面吸込具においては、蓋体の奥に回転ブラシがあり開口から引出すため、回転ブラシを持つ部分が開口より小さく構成されているため持ちにくく取り外しにくいという課題があった。さらに蓋体が外れるので紛失してしまう可能性があった。
【０００５】
本発明は、前述のような課題を解決するためになされたものであり、回転ブラシを取外す際の衛生性を改善し回転ブラシをケース内から取外しやすい床面吸込具を提供することを目的とする。
【課題を解決するための手段】
【０００６】
課題を解決する本発明の床面吸込具は、外郭をなすケースと、ケース内において駆動部により回転駆動される回転ブラシと、を備え、ケースには、回転ブラシをケース内に取付け又は取外しするための開口部と、開口部の内部に回転ブラシを取付け位置に係止する係止部が設けられ、回転ブラシは、取付けのときは一端側から開口部を通して取付け位置まで挿入され、取り外しのときは取付け位置より開口部から引き抜かれるようになっていて、回転ブラシには、ケース内に取付け又は取外しするときに把持するための一部分がケース外に露出し他の部分がケース内に収容される把持部と、把持部を回転ブラシの取外し方向に付勢する付勢手段が設けられ、把持部には、ケースに対し回転ブラシを取付け位置に係止又は取外し位置に係止解除するためのケース外に露出するレバーと、係止部と係合して回転ブラシを取付け位置に係止するためのケース内に収容される係止凸片が設けられ、把持部は、回転ブラシが取付け位置に係止されているときはケースの表面と略同一面となり、取外し位置に係止解除されているときは付勢手段により、ケースの表面から回転ブラシの取り出し方向に突出し、付勢手段は、把持部の内部に収納されているようになっている。
【発明の効果】
【０００７】
本発明によれば、回転ブラシをケース内から取り出すときに使う把持部を、付勢手段によりケースの表面から回転ブラシの取り出し方向に突出しているようにしたので、取り出すときに塵埃を取り除く前のブラシに触れなくすることができ衛生性が改善され、突出しているので把持部が持ちやすく容易に取り外すことができ回転ブラシのメンテナンス性が向上する。
【図面の簡単な説明】
【０００８】
【図１】本発明の実施の形態１に係る電気掃除機の床面吸込具を電気掃除機本体に接続した状態を示す模式図である。
【図２】本発明の実施の形態１に係る電気掃除機の床面吸込具の外観図である。
【図３】本発明の実施の形態１における電気掃除機の床面吸込具を被清掃面と対向する面（ケース下面側）側から見た斜視図である。
【図４】本発明の実施の形態１に係る電気掃除機の床面吸込具の上ケースを外した状態の斜視図である。
【図５】（ａ）本発明の実施の形態１に係る電気掃除機の床面吸込具の回転ブラシの駆動力伝達構造の模式図、（ｂ）モーターとギアの連結状態を表す要部断面図、（ｃ）ギアと回転ブラシ軸受け部の連結状態を表す要部断面図である。
【図６】（ａ）本発明の実施の形態１に係る電気掃除機の床面吸込具の回転ブラシの外観図、（ｂ）回転ブラシの取付け側（挿入側）拡大図、（ｃ）回転ブラシの把持部側拡大図である。
【図７】本発明の実施の形態１に係る電気掃除機の床面吸込具の回転ブラシ取付け前状態の斜視図である。
【図８】本発明の実施の形態１に係る電気掃除機の床面吸込具の回転ブラシ取付けのための開口部周辺の要部拡大図である。
【図９】（ａ）塵埃除去具を回転ブラシの取付け側から見た斜視図、（ｂ）塵埃除去具を回転ブラシの取付け側と反対側から見た斜視図である。
【図１０】回転ブラシが塵埃除去具を貫通している状態の部分斜視図である。
【図１１】（ａ）回転ブラシと軸受け部の装着直前状態の部分斜視図、（ｂ）回転ブラシと軸受け部の装着状態の部分斜視図である。
【図１２】（ａ）回転ブラシを取付け位置に係止する前の状態の床面吸込具の側面図、（ｂ）回転ブラシを取付け位置に係止した状態の床面吸込具の側面図である。
【図１３】（ａ）回転ブラシを取付け位置に係止する前の状態の床面吸込具の前方からの要部斜視図、（ｂ）回転ブラシを取付け位置に係止する前の状態の床面吸込具の後方からの要部斜視図である。
【図１４】（ａ）回転ブラシを取付け位置に係止した状態の床面吸込具の前方からの要部斜視図、（ｂ）回転ブラシを取付け位置に係止した状態の床面吸込具の後方からの要部斜視図である。
【図１５】（ａ）回転ブラシを取付け位置に係止する前の状態のケースの係止部と把持部の係止凸片との係止解除状態を示す要部断面図、（ｂ）回転ブラシを取付け位置に係止した状態のケースの係止部と把持部の係止凸片との係止状態を示す要部断面図である。
【図１６】（ａ）回転ブラシを取付け位置に係止する前の状態の把持部近傍の要部断面図、（ｂ）回転ブラシを取付け位置に係止した状態の把持部近傍の要部断面図である。
【図１７】本発明の実施の形態２に係る電気掃除機の床面吸込具の回転ブラシを取外し位置に係止解除した状態の外観図である。
【図１８】本発明の実施の形態２に係る電気掃除機の床面吸込具の回転ブラシを取付け位置に係止した状態の外観図である。
【発明を実施するための形態】
【０００９】
実施の形態１
図１は本発明の実施の形態１に係る電気掃除機の床面吸込具を電気掃除機本体に接続した状態を示す模式図、図２は本発明の実施の形態１に係る電気掃除機の床面吸込具の外観図、図３は本発明の実施の形態１における電気掃除機の床面吸込具を被清掃面と対向する面（ケース下面側）側から見た斜視図、図４は本発明の実施の形態１に係る電気掃除機の床面吸込具の上ケースを外した状態の斜視図、図５（ａ）は本発明の実施の形態１に係る電気掃除機の床面吸込具の回転ブラシの駆動力伝達構造の模式図、図５（ｂ）はモーターとギアの連結状態を表す要部断面図、図５（ｃ）はギアと回転ブラシ軸受け部の連結状態を表す要部断面図である。
【００１０】
なお、それぞれの図において、同じ部分または相当する部分には同じ符号を付し、一部の説明を省略する。また、複数の部材であって、符号に「ａ、ｂ等」を付記するものについて、共通する内容を説明する際には、符号に付した「ａ、ｂ等」を削除して、その一方の
部材について説明する場合がある。
以下、図１から図５により本発明の実施の形態１に係る電気掃除機の床面吸込具及びこの床面吸込具を備えた電気掃除機の構成について説明する。
【００１１】
図１に示すように、３００は電気掃除機であり、掃除機本体２００とホース体１０１と
床面吸込具１００により構成され、被清掃面Ｇから床面吸込具１００を進行方向Ｓに進めたりすることによって塵埃を吸引して掃除をする。掃除機本体２００内には被清掃面Ｇから塵埃を吸引するための吸引風を発生させるための電動送風機２０１が設けられている。
【００１２】
さらに掃除機本体２００内には吸引した塵埃を捕集するための集塵室２０２が設けられている。電気掃除機の塵埃の捕集方法については、集塵室に紙パックと呼ばれる袋状フィルターを装着して捕集する紙パック式のものや、旋回流にて塵埃を分離して捕集するサイクロン式のものがあるが、本発明においては塵埃の捕集方法が特定の方式に限定されるものではなく適宜選択可能である。
【００１３】
ホース体１０１は例えば蛇腹のような可撓性を有する軟質管部１０２と、電気掃除機３００を操作するための入力を行う操作部（図示せず）を備えた電気掃除機３００を取り回しするための持ち手部１０３と、伸縮構造を有する硬質延長管部１０４で構成されていて軟質管部１０２の持ち手部１０３と接続されている反対側の端部が掃除機本体２００に着脱自在に接続されるようになっている。
【００１４】
ホース体１０１の硬質延長管部１０４の持ち手部１０３と接続されている反対側の端部には床面吸込具１００が着脱自在に接続されるようになっている。
【００１５】
図２、図３に示すように、床面吸込具１００の本体ケース３は、上ケース１と下ケース２で構成され進行方向Ｓに対して横長になっていて、硬質延長管部１０４と接続するための接続部５を一端部に設けた継手管４が、他端部に形成された連結部１５を下ケース２と、上ケース１に傾動可能に挟持され連結されている。
【００１６】
下ケース２には被清掃面Ｇと対向する面側に、被清掃面Ｇに存在する塵埃を吸込むための開口である吸込口１４が設けられている。本体ケース３内には、下ケース２に設けられた吸込口１４から被清掃面Ｇへ向かって突出するように、回転ブラシ６がその両端の位置で後述する軸受け部１０と塵埃除去具１１により吸込口１４の奥の空間に回動自在に支持され取付けられている。
【００１７】
軸受け部１０は下カバーＬ８でケースの長手方向で一方の側面の内側に、塵埃除去具１１は下カバーＲ９でケースの長手方向で他方の側面の内側に、それぞれ下ケース２と挟持されネジ３７ａ、３７ｂで固定されている。なお、回転ブラシ６の構成、取付け、取外しの構成については後段で詳しく説明する。
【００１８】
さらに下ケース２には被清掃面Ｇへ向かって突出するように、樹脂成形で形成された後部車輪１２ａ、１２ｂが設けられている。後部車輪１２ａ、１２ｂは被清掃面Ｇから所定の距離を置いた固定位置に回動自在に軸支されており、回転ブラシ６が被清掃面Ｇに対して安定した位置にくるようになっている。
【００１９】
そのため、回転ブラシ６に不必要な圧力がかかることがなく適正に回転でき、塵埃のかき取りが安定して行えるようになっている。また、被清掃面Ｇから所定の距離が確保できるので床面吸込具１００の移動も滑らかにできるようになっている。なお、ここでは回転ブラシ６の安定動作と床面吸込具１００の移動のために樹脂成形で形成された後部車輪１２ａ、１２ｂを用いたが起毛布からなる滑り部材を用いてもよく、本発明においては特定の部材に限定されるものではなく適宜選択可能である。
【００２０】
また、下ケース２には被清掃面Ｇと対向する面側に、被清掃面Ｇを傷つけることなく床面吸込具１００を滑らかに移動させるために、起毛布からなる複数の滑り部材２１ａ、２１ｂが設けられている。さらに回転ブラシ６に弾かれうまく吸引されなかった塵埃が外部に逃れないようにするためと、吸引口外周の一部を塞ぎ吸引の真空度を上げるための起毛布からなる複数の遮蔽部材２２ａ、２２ｂ、２３が設けられている。
【００２１】
それから、下ケース２には被清掃面Ｇへ向かって突出するように、スイッチ兼用車輪１３が設けられている。スイッチ兼用車輪１３は下ケース２内に出没自在に軸支されており、被清掃面Ｇから床面吸込具１００を浮かした状態では最も突出するようになっている。被清掃面Ｇへ床面吸込具１００を置こうとすると最初に被清掃面Ｇへ接触し、完全に置いた状態では車輪の一部を残し下ケース２内に没するようになっている。
【００２２】
この出没に連動し、回転ブラシ６の回転駆動を入切するスイッチ（図示せず）が後述するスイッチ保持部２０に収容されて本体ケース３内に設けられており、被清掃面Ｇへ床面吸込具１００を置いて下ケース２内にスイッチ兼用車輪１３が没した状態の時にスイッチ（図示せず）が入となり、被清掃面Ｇから床面吸込具１００を浮かしてスイッチ兼用車輪１３が突出した状態の時にスイッチ（図示せず）が切となるようになっていて、回転ブラシを無駄に空転させないことと、駆動する回転ブラシに使用者が誤って手を巻き込まれないようになっている。
【００２３】
次に床面吸込具１００内の構成について説明すると、図４に示すように、下ケース２に回転ブラシ６を回転駆動するためのモーター１６と、前述した回転ブラシ６の回転駆動を入切するスイッチ（図示せず）を収容したスイッチ保持部２０が配設されている。
【００２４】
図５に示すように、モーター１６は第１の連結ベルト１７によりギア１８と連結され、ギア１８は第２の連結ベルト１９で回転ブラシ６を保持する軸受け部１０と連結されていて、モーター１６を駆動するとその駆動力がギア１８を介して回転ブラシ６を支持する軸受け部１０に伝達され、回転ブラシ６が回転するようになる。
【００２５】
次に図６により回転ブラシ６の構成について説明する。図６（ａ）は本発明の実施の形態１に係る電気掃除機の床面吸込具の回転ブラシの外観図、図（ｂ）は回転ブラシの取付け側（挿入側）拡大図、図６（ｃ）は回転ブラシの把持部側拡大図である
【００２６】
回転ブラシ６は、樹脂成形で形成され、その周面に幅の異なる２種類の螺旋状の溝、２５ａ（幅が狭い）、２５ｂ（幅が広い）が１つおきに計８つ形成された円筒状部材２４と、幅が狭い方の溝２５ａに円筒状部材２４の外側に向かって伸びる様に埋め込まれた被清掃面Ｇの塵埃を掻き揚げるための毛ブラシ２７と、円筒状部材２４の一端側に設けられた軸受け部１０に装着するためのガイド部２６と、他端側に設けられた本体ケース３内に取付け又は取外しするときに把持する把持部７により構成されている。
【００２７】
把持部７には取付けのときに本体ケース３に係止するための係止凸片２８と係止状態または係止解除状態にするときに用いられるレバー７ａが設けられている。なお、ここでは回転ブラシのブラシ部分を列状に植毛された毛ブラシ２７としたが、ゴム等の弾性体からなるブレード形状の部材を用いてもよく、適宜選択が可能である。また、毛ブラシ２７が４つの溝に埋め込まれている４列構成としたが、４列に限定されるものではなく３列でもよく適宜選択が可能である。
【００２８】
次に図７から図１６により回転ブラシ６の取付け、取外しについて説明する。
図７は本発明の実施の形態１に係る電気掃除機の床面吸込具の回転ブラシ取付け前状態の斜視図、図８は本発明の実施の形態１に係る電気掃除機の床面吸込具の回転ブラシ取付けのための開口部周辺の要部拡大図、図９（ａ）は塵埃除去具を回転ブラシの取付け側から見た斜視図、図９（ｂ）は塵埃除去具を回転ブラシの取付け側と反対側から見た斜視図、図１０は回転ブラシが塵埃除去具を貫通している状態の部分斜視図、図１１（ａ）は回転ブラシと軸受け部の装着直前状態の部分斜視図、図１１（ｂ）は回転ブラシと軸受け部の装着状態の部分斜視図、図１２（ａ）は回転ブラシを取付け位置に係止する前の状態の床面吸込具の側面図、図１２（ｂ）は回転ブラシを取付け位置に係止した状態の床面吸込具の側面図、図１３（ａ）は回転ブラシを取付け位置に係止する前の状態の床面吸込具の前方からの要部斜視図、図１３（ｂ）は回転ブラシを取付け位置に係止する前の状態の床面吸込具の後方からの要部斜視図、図１４（ａ）は回転ブラシを取付け位置に係止した状態の床面吸込具の前方からの要部斜視図、図１４（ｂ）は回転ブラシを取付け位置に係止した状態の床面吸込具の後方からの要部斜視図、図１５（ａ）は回転ブラシを取付け位置に係止する前の状態のケースの係止部と把持部の係止凸片との係止解除状態を示す要部断面図、図１５（ｂ）は回転ブラシを取付け位置に係止した状態のケースの係止部と把持部の係止凸片との係止状態を示す要部断面図、図１６（ａ）は回転ブラシを取付け位置に係止する前の状態の把持部近傍の要部断面図、図１６（ｂ）は回転ブラシを取付け位置に係止した状態の把持部近傍の要部断面図である。
【００２９】
（取付け）
図７に示すように回転ブラシ６は、床面吸込具１００の進行方向Ｓに対して側面方向から挿入、取付けされるようになっている。図８に示すように本体ケース３の一方の側面には回転ブラシ６を取付けるための開口部２９が開いていて、被清掃面Ｇと対向する面（下側）と反対側（上側）の一部に本体ケース３の側面より低い開口低部３０が設けられ、開口低部３０には凸形状３１が設けられている。
【００３０】
開口部２９の奥には、回転ブラシ６に絡み付いた塵埃を除去するための塵埃除去具１１が設けられており、塵埃除去具１１は図９に示すように中空の管形状で、内径の中空部３４に向かって突出しさらに本体ケース３の内側に延設するように爪部３３が設けられている。また、塵埃除去具１１の内径は回転ブラシ６に設けられている毛ブラシ２７の外形よりも小さく生え際近くまでになっていて毛ブラシ２７を削ぐようになっている。
【００３１】
塵埃除去具１１は全周溝部３５と全周凸部３６を、前述のように下ケース２と下カバーＲ９で挟持され、図１０のようにネジ３７ａで固定されている。なお、塵埃除去具１１が回転ブラシ６の塵埃を除去するのは、取外しの時であり取付け状態では回転ブラシの支持部材として機能している。塵埃除去については後段の取外しの説明のところで詳述する。
【００３２】
図７のように開口部２９から回転ブラシ６を挿入しようとすると、塵埃除去具１１の中空部３４を回転ブラシ６が貫通して図１０のように回転ブラシ６の円筒状部材２４に設けられた幅が広い方の溝２５ｂと塵埃除去具１１の爪部３３が嵌合するようになっていて、溝２５ｂの一番深いところにほぼ接触するまで爪部３３が嵌まり込んでいる。毛ブラシ２７は爪部３３が設けられている間を通過するようになっている。
【００３３】
図１１のようにさらに回転ブラシ６を押し込んでいくと、前述のように下ケース２と下カバーＬ８で挟持されネジ３７ｂで固定された軸受け部１０の軸受け部凸部１０ａに、回転ブラシ６のガイド部２６に設けられたガイド部開口２６ａが嵌合して支持され、回転ブラシ６の両端が塵埃除去具１１と軸受け部１０で支持されるようになる。
【００３４】
軸受け部凸部１０ａは図１１（ａ）に示すように十字形状をしており、ガイド部開口２６ａも図９（ｂ）に示すように十字形状の開口となっていて十字で嵌合するので、軸受け部１０に伝達されたモーター１６の駆動力が空回りすることなく確実に回転ブラシ６に伝達され回転する。
【００３５】
回転ブラシ６の本体ケース３内への挿入を完了させるには、図１５（ａ）に示すように本体ケース３に設けられたガイド凹部３８ａ、３８ｂと把持部７に設けられた係止凸片２８の位置に合わせて挿入すると図１２（ａ）のように取付け前位置にレバー７ａがくるようになる。
【００３６】
だが、この状態では、回転ブラシ６が取付け位置に収まっているだけでまだ固定されておらず図１３（ａ）、（ｂ）のように把持部７が本体ケース３の側方表面から突出している。これは、回転ブラシ６の把持部７が図１６（ａ）に示すように円筒状部材２４に対して例えば巻バネ形状の弾性体からなる付勢手段３９によって、本体ケース３から外側に向かって付勢されているためで、この突出していることにより把持部７がより把持しやすくなっている。また、突出していることで使用者が、取付けが完了していないことを視覚的に理解できるようになっている。
【００３７】
回転ブラシ６を固定するためには、付勢手段３９の付勢力に抗してさらに把持部７をレバー７ａが開口低部３０と接触する位置まで押し込み、図１２（ｂ）のようにレバー７ａを取付け位置側へ移動させる。
【００３８】
すると、図８で示した溝状の係止部３２に、図１５（ｂ）のように把持部７の係止凸片２８が嵌まり込むようになり、回転ブラシ６が固定されその位置からでは取り出せない状態となる。そしてこの嵌まり込む位置から把持部７は本体ケース３の側方表面と略同一面となり清掃時には邪魔にならない位置へ収められるようになる。
【００３９】
さらに、開口低部３０に設けられた凸形状３１は、レバー７ａが移動する取付け位置と取付け前位置の間に位置しており、図１６（ｂ）に示すように凸形状３１はレバー７ａを取付け位置側へ移動（回動）させる状態では、レバー７ａが最も本体ケース３の開口低部３０寄りの位置から突出しているので、レバー７ａは凸形状３１に接触して抵抗を伴なって乗り上げ、それを乗り越えるようにして取付け位置まで移動することになる。
【００４０】
そのため、凸形状３１はレバー７ａが取外し位置へ移動する際の抵抗となるので、凸形状３１によってレバー７ａは意図しない取外し位置への移動が抑制され外れ難くなっている。これで取付けが完了する。
【００４１】
（取外し）
図１２（ａ）のように、取付けとは反対に凸形状３１の抵抗に抗しながら取外し位置へレバー７ａを移動させる。取外し位置へレバー７ａがくると、図１５（ａ）のように本体ケース３の係止部３２と把持部７の係止凸片２８の係止状態が解除され、付勢手段３９の付勢力により図１３（ａ）、（ｂ）、図１６（ａ）のように把持部７が本体ケース３の側方表面から突出してくるので、回転ブラシ６を取出すときに把持部７を把持し易く、作業性がよい。
【００４２】
把持部７を持って回転ブラシ６を本体ケース３内から引出そうとすると、前述したとおり図１０に示すように回転ブラシ６の円筒状部材２４に設けられた溝２５ｂと塵埃除去具１１の爪部３３が溝２５ｂの一番深いところにほぼ接触するまで嵌まり込んでいるので、回転ブラシ６の円筒状部材２４に巻きつくように絡み付いた糸屑や髪の毛等の塵埃は、爪部３３によって回転ブラシ６の円筒状部材２４から削ぎ落とされ除去される。
【００４３】
毛ブラシ２７についても前述したとおり塵埃除去具１１の内径は回転ブラシ６に設けられている毛ブラシ２７の外形よりも小さく生え際近くまでになっているので、外周壁４０によって毛ブラシ２７が削がれ、毛ブラシ２７に絡み付いた塵埃が削ぎ落とされ除去される。このように、取外す過程で回転ブラシ６に絡み付いた塵埃を、手で触れることなく除去することができるので衛生的でメンテナンス性がよい。
【００４４】
以上のように本発明の実施の形態１においては、回転ブラシ６を取外すために把持する把持部７を付勢手段３９の付勢力によって本体ケース３の側方表面より突出させるようにしたので、把持部７が把持し易くなり回転ブラシ６が取り出し易くなるので作業性を向上させることができ、回転ブラシ６のメンテナンス性が向上する。
【００４５】
また、取出し易い回転ブラシ６を取出す過程で、回転ブラシ６の円筒状部材２４に巻きつくように絡み付いた糸屑や髪の毛等の塵埃は塵埃除去具１１の爪部３３によって、毛ブラシ２７に絡み付いた塵埃は塵埃除去具１１の外周壁４０によってそれぞれ削ぎ落とされ除去されるので、回転ブラシ６に絡み付いた塵埃に手で触れることなく塵埃を除去でき、衛生的でメンテナンス性が向上する。
【００４６】
実施の形態２
本発明の実施の形態２は、本発明の実施の形態１と回転ブラシの本体ケースへの固定方法のみ異なり本体ケース内部の構造は同等であるので、図１７、図１８により固定方法について説明し他の構造についての説明は省略する。また、回転ブラシの構造については、実施の形態１の回転ブラシ６の把持部７（レバー７ａと係止凸片２８を含む）と本実施の形態２の回転ブラシ６０の取っ手保持部６１（取っ手６２と係合部６３と回動軸部６４を含む）のみことなり、他の部分は同等であるので説明は省略する。さらに、電気掃除機全体の構成については本発明の実施の形態１と床面吸込具のみ異なり他の構成は同等であるので説明は省略する。なお、実施の形態１と同じ部分には同じ符号を付すこととする。
【００４７】
図１７は本発明の実施の形態２に係る電気掃除機の床面吸込具の回転ブラシを取外し位置に係止解除した状態の外観図、図１８は本発明の実施の形態２に係る電気掃除機の床面吸込具の回転ブラシを取付け位置に係止した状態の外観図である。
【００４８】
床面吸込具４００の本体ケース５２は、上ケース５０と下ケース５１で構成され、回転ブラシ６０を取付けるための開口部７０と一部に本体ケース５２の側面より低い開口低部７１が設けられている。上ケース５０の開口低部７１の近傍には上ケース係止凸部８０が設けられていて後述する取っ手６２に設けられた係合部６３と係合するようになっている。
【００４９】
回転ブラシ６０には、本体ケース５２内に取付け又は取外しするときに使用する取っ手６２と、取っ手６２を回動軸部６４にて回動自在に取付けられた取っ手保持部６１が設けられている。
【００５０】
取っ手６２を持って回転ブラシ６０を開口部７０から本体ケース５２内に取付け位置まで挿入する。このとき、取っ手６２を含む取っ手保持部６１は本体ケース５２の側方表面から突出している。これは、回転ブラシ６０の取っ手保持部６１が例えば巻バネ形状の弾性体からなる付勢手段（図示せず）によって、本体ケース５２から外側に向かって付勢されているためで、この突出していることにより取っ手６２がよりつかみ易くなっている。
【００５１】
取付け位置まで挿入した後、付勢手段（図示せず）の付勢力に抗してさらに取っ手６２を含む取っ手保持部６１を開口低部７１と接触する位置まで押し込み、取っ手６２を回動軸部６４によって回動させ、取っ手６２の係合部６３が上ケース係止凸部８０に係るように移動させる。
【００５２】
上ケース係止凸部８０は取っ手６２の係合部６３の回動範囲よりも突出するようになっているので、係合部６３は上ケース係止凸部８０に接触して抵抗を伴なって乗り上げ、それを乗り越えるようにして固定位置まで移動することになる。
【００５３】
そのため、上ケース係止凸部８０は取っ手６２の係合部６３が取外し位置へ移動する際の抵抗となるので、上ケース係止凸部８０によって取っ手６２は意図しない取外し位置への移動が抑制され外れ難くなっている。取っ手６２は固定位置にくると、図１８のように開口低部７１の中に収まり本体ケース５２の側方表面と略同一面となるので清掃時には邪魔にならないようになって、これで取付けが完了する。
【００５４】
取外すときには、固定とは反対に上ケース係止凸部８０の抵抗に抗しながら取外し位置へ取っ手６２を移動させる。取っ手６２を含む取っ手保持部６１は付勢手段（図示せず）の付勢力によって本体ケース５２の側方表面から突出し、取っ手６２は回動軸部６４によって回動し、さらに外側へ出てくるので、持ち易く回転ブラシ６０を取出すときに作業がし易い。
【００５５】
以上のように本発明の実施の形態２においては、回転ブラシ６０を取外すために取っ手６２を含む取っ手保持部６１を付勢手段（図示せず）の付勢力によって本体ケース５２の側方表面より突出させるようにしたので、取っ手６２がつかみ易くなり回転ブラシ６０が取り出し易くなるので作業性を向上させることができ、回転ブラシ６０のメンテナンス性が向上する。
【００５６】
また、実施の形態１と内部構造は同等であるので、実施の形態１と同様に取出し易い回転ブラシ６０を取出す過程で回転ブラシ６０に絡み付いた塵埃に手で触れることなく塵埃を除去でき、衛生的でメンテナンス性が向上する。
【００５７】
なお、本発明の実施の形態１で回転ブラシの駆動方法をモーターによる駆動方式で説明し、実施の形態２においても内部構造は同等としたが、回転ブラシの駆動方法はモーターによる駆動方式に限らず、電動送風機の吸引風によるエアータービン方式でも良く、どちらの方式でも本発明の実施の形態１、実施の形態２の回転ブラシの取付け、取外しが採用可能であり、適宜選択できる。
【符号の説明】
【００５８】
１  上ケース、２  下ケース、３  本体ケース、４  継手管、５  接続部、６  回転ブラシ、７  把持部、７ａ  レバー、８  下カバーＬ、９  下カバーＲ、１０  軸受け部、１０ａ  軸受け部凸部、１１  塵埃除去具、１２ａ  後部車輪、１２ｂ  後部車輪、１３  スイッチ兼用車輪、１４  吸込口、１５  連結部、１６  モーター、１７  第１の連結ベルト、１８  ギア、１９  第２の連結ベルト、２０  スイッチ保持部、２１ａ  滑り部材、２１ｂ  滑り部材、２２ａ  遮蔽部材、２２ｂ  遮蔽部材、２３  遮蔽部材、２４  円筒状部材、２５ａ  溝（幅が狭い）、２５ｂ  溝（幅が広い）、２６  ガイド部、２６ａ  ガイド部開口、２７  毛ブラシ、２８  係止凸片、２９  開口部、３０  開口部低部、３１  凸形状、３２ａ  係止部、３２ｂ  係止部、３３  爪部、３４  中空部、３５  全周凸部、３６  全周溝部、３７ａ  ネジ、３７ｂ  ネジ、３８ａ  ガイド凹部、３８ｂ  ガイド凹部、３９  付勢手段、４０  外周壁、５０  上ケース、５１  下ケース、５２  本体ケース、６０  回転ブラシ、６１  取っ手保持部、６２  取っ手、６３  係合部、６４  回動軸部、７０  開口部、７１  開口低部、８０  上ケース係止凸部、１００  床面吸込具、１０１  ホース体、１０２  軟質管部、１０３  持ち手部、１０４  硬質延長管部、２００  掃除機本体、２０１  電動送風機、２０２  集塵室、３００  電気掃除機、４００  床面吸込具、Ｇ  被清掃面、Ｓ  進行方向。
【図１】
0005668629.tif 000002
【図２】
0005668629.tif 000003
【図３】
0005668629.tif 000004
【図４】
0005668629.tif 000005
【図５】
0005668629.tif 000006
【図６】
0005668629.tif 000007
【図７】
0005668629.tif 000008
【図８】
0005668629.tif 000009
【図９】
0005668629.tif 000010
【図１０】
0005668629.tif 000011
【図１１】
0005668629.tif 000012
【図１２】
0005668629.tif 000013
【図１３】
0005668629.tif 000014
【図１４】
0005668629.tif 000015
【図１５】
0005668629.tif 000016
【図１６】
0005668629.tif 000017
【図１７】
0005668629.tif 000018
【図１８】
0005668629.tif 000019